(57)【特許請求の範囲】
【請求項１】
デジタル衛星放送におけるサイトダイバーシティにより放送をするサイトダイバーシティ方法であって、サイト切り換え実行指示信号を受けたとき実行指示信号を受けた時点にて定まるスーパーフレーム中における予め定めたフレーム中のＴＭＣＣ情報区間内においてサイトの切り換えを行って放送をすることを特徴とするサイトダイバーシティ方法。
【請求項２】
請求項１記載のサイトダイバーシティ方法において、サイトの切り換えはＴＭＣＣ情報区間内の時間的前半部分で行うことを特徴とするサイトダイバーシティ方法。
【請求項３】
デジタル衛星放送におけるサイトダイバーシティによる放送を受信する方法であって、サイト切り換えが行われたＴＭＣＣ情報区間を検出し、該ＴＭＣＣ情報区間に後続するフレーム識別用同期パターンＷ２またはＷ３の何れかによって再同期を行ってサイトダイバーシティ放送の受信をすることを特徴とするデジタル衛星放送の受信方法。
【請求項４】
サイト切り換えが行われたＴＭＣＣ情報区間を検出し、該ＴＭＣＣ情報区間に後続するフレーム識別用同期パターンＷ２またはＷ３の何れかによって再同期を行うことを特徴とするデジタル衛星放送受信機。
【発明の詳細な説明】
【０００１】
【発明の属する技術分野】
本発明はデジタル衛星放送に使用されるサイトダイバーシティ方法およびサイトダイバーシティに基づく放送を受信するデジタル衛星放送受信機に関する。
【０００２】
【従来の技術】
デジタル衛星放送において、運用中の一方のアップリンク放送局周辺が降雨等により回線確保が不可能になることが予想される場合、他のアップリンク放送局による運用に切り換えるサイトダイバーシティが採用される。このサイトダイバーシティにおいて、アップリンク放送局の切り換えによる映像、音声にとぎれが生ずる等の影響を可能な限り最小にすることが望ましい。
【０００３】
本明細書において、運用中の一方のアップリンク放送局から他のアップリンク放送局による運用に切り換えることをサイトの切り換えと記す。
【０００４】
そこで、デジタル衛星放送において提案されているサイトダイバーシティ方法は、可能な限り切り換えによる映像、音声にとぎれが生じないようにするべくサイトの切り換えのときにデジタル衛星放送受信機で生ずるフリーズおよびミュートを可能な限り目立たないようにするために、サイトの切り換えをスーパーフレーム内で行うことが提案されている。
【０００５】
具体的にはＴＭＣＣ情報中の送受信制御情報中における図４に示す拡張領域（１〜４ビット）を利用して、そのビット４にサイトダイバーシティ実施スーパーフレーム指示のビットを立て（ビット４＝１）、ビットが立ってから、Ｎ（Ｎ＝１６）スーパーフレーム後のスーパーフレーム内にサイトダイバーシティを実施し、サイトダイバーシティを実施後、Ｍ（Ｍ＝０）スーパーフレームでビット４のビットを下ろす（ビット４＝０）ようにされる。
【０００６】
さらに、上記拡張領域のビット３を利用してビット３にビットを立てることにより主局からアップリンクすることを指示し、上記拡張領域のビット２を利用してビット２にビットを立てることにより副局からアップリンクすることを指示している。
【０００７】
上記のサイトダイバーシティに対応するべく、デジタル衛星放送受信機の復調部では、図５に示すように、検波されたベースバンド信号からキャリア再生用位相誤差テーブル２１によって受信位相誤差に基づく位相誤差電圧を求め、位相誤差電圧をデジタルフィルタからなるキャリアフィルタ２２に供給し、キャリアフィルタ２２からの出力をＡＦＣ回路２３に供給して累積加算し、累積加算値により数値制御発振器２４の発振周波数を制御し、数値制御発振器２４からの出力を再生キャリアとして演算回路２６に供給して再生キャリアと演算回路２６に入力されるベースバンド信号Ｉ、Ｑとを乗算することにより検波する。
【０００８】
演算回路２６から出力される検波出力をロールオフフィルタ２７で帯域制限し、帯域制限された検波出力からフレーム同期回路３１においてフレーム同期パターンＷ１を検出してＴＭＣＣ情報を抽出し、抽出したＴＭＣＣ情報をＴＭＣＣデコーダ３２に供給してデコードし、抽出されたＴＭＣＣ情報をサイトダイバーシティ制御回路３３に供給して、サイトダイバーシティ制御回路３３において前記拡張領域におけるビット４に基づいてサイトダイバーシティの実行指示がなされているか否かを検出する。
【０００９】
サイトダイバーシティの実行指示がなされていると検出したらサイトダイバーシティ制御回路３３において、スーパーフレームを検出する毎にＮ値のカウントダウンを行い、Ｎ値が０、すなわちＮ＝０になるスーパーフレームに達したとき実行指示信号をフレーム同期回路３１に供給し、この実行指示信号を受けたフレーム同期回路３１では、実行指示信号にしたがいＴＭＣＣ情報中のフレーム同期パターンＷ１が検出されるまで検出を行い、検出されたらフレーム同期パターンＷ１により再同期を行う。
【００１０】
【発明が解決しようとする課題】
しかしながら、提案されている上記したサイトダイバーシティ方法によるときは、スーパーフレーム内のどこかでサイトの切り換えが行われることになって、スーパーフレーム内のどこでサイトの切り換えが行われるかが不明であるという問題点がある。
【００１１】
また、サイトが切り替わる時点で主局と副局と間で互いのキャリア周波数のずれやクロック位相のずれなどが想定され、さらにフレーム周期のずれ、例えば切り換え前後において５ｍｓｅｃ程度のずれなどが想定され、このずれにより映像が乱れたり、音声が途絶えたりするという問題点が生ずる。
【００１２】
またこの方法によるときは、サイトの切り換えはスーパーフレーム内の何処かで切り替わり、この切り替わりの瞬間に、キャリア周波数、クロック位相、フレーム周期等がずれることにより、デジタル衛星放送受信機では一旦システムロックが外れ、再同期を行わなければならない。スーパーフレーム中の何処で切り替わるかは１スーパーフレーム内では不定のため、再同期は少なくとも次のスーパーフレームでシステムロックを行うことになり、これが最短の期間となる。
【００１３】
したがって、サイトが切り替わる瞬間のスーパーフレーム内のデータは再生をすることはできなくなり、デジタル衛星放送受信機において例えば映像データにエラーが発生し、映像が乱れ、音声が途絶えたりするという問題点が生ずる。
【００１４】
本発明は、サイトの切り換えの際、主局から出力されるデータ送出タイミングと副局から出力されるデータ送出タイミングのずれを少なくし、かつ素早く再同期をすることができるサイトダイバーシティ方法、デジタル衛星放送の受信方法およびデジタル衛星放送受信機を提供することを目的とする。
【００１５】
【課題を解決するための手段】
本発明の請求項１にかかるサイトダイバーシティ方法は、デジタル衛星放送におけるサイトダイバーシティにより放送をするサイトダイバーシティ方法であって、サイト切り換え実行指示信号を受けたとき実行指示信号を受けた時点にて定まるスーパーフレーム中における予め定めたフレーム中のＴＭＣＣ情報区間内においてサイトの切り換えを行って放送をすることを特徴とする。
【００１６】
本発明の請求項１にかかるサイトダイバーシティ方法によれば、サイト切り換え実行指示信号を受けたとき実行指示信号を受けた時点にて定まるスーパーフレーム中における予め定めたフレーム中のＴＭＣＣ情報区間内においてサイトの切り換えが行なわれるため、切り換え時点が短期間内に確定することになり、デジタル衛星放送受信機に与える影響は少なくて済む。
【００１７】
また、本発明の請求項１にかかるサイトダイバーシティ方法において、サイトの切り換えはＴＭＣＣ情報区間内の時間的前半部分で行うこともできる。
【００１８】
本発明の請求項３にかかるデジタル衛星放送の受信方法は、デジタル衛星放送におけるサイトダイバーシティによる放送を受信する方法であって、サイト切り換えが行われたＴＭＣＣ情報区間を検出し、該ＴＭＣＣ情報区間に後続するフレーム識別用同期パターンＷ２またはＷ３の何れかによって再同期を行ってサイトダイバーシティ放送の受信をすることを特徴とする。
【００１９】
本発明の請求項３にかかるデジタル衛星放送の受信方法は、デジタル衛星放送におけるサイトダイバーシティによる放送を受信する方法であって、サイト切り換えが行われたＴＭＣＣ情報区間を検出し、該ＴＭＣＣ情報区間に後続するフレーム識別用同期パターンＷ２またはＷ３の何れかによって再同期を行ってサイトダイバーシティ放送の受信をすることを特徴とする。
【００２０】
本発明の請求項４にかかるデジタル衛星放送受信機は、サイト切り換えが行われたＴＭＣＣ情報区間を検出し、該ＴＭＣＣ情報区間に後続するフレーム識別用同期パターンＷ２またはＷ３の何れかによって再同期を行うことを特徴とする。
【００２１】
本発明の請求項３にかかるデジタル衛星放送の受信方法および請求項４にかかるデジタル衛星放送受信機によれば、サイト切り換えが指示されたスーパーフレーム中においてサイトの切り換えが行われるフレームは予め定められており、このフレーム中のＴＭＣＣ情報区間においてサイトの切り換えが行われているため、前記サイトの切り換えが行われたＴＭＣＣ情報区間に後続するフレーム識別用同期パターンＷ２またはＷ３の何れかによって再同期がなされる。このように、サイトの切り換えがなされた時点直後のフレーム識別用同期パターンＷ２またはＷ３によって再同期がなされるため、最短で再同期することになって、映像、音声の乱れはほとんど生じない。
【００２２】
【発明の実施の形態】
以下、本発明にかかるサイトダイバーシティ方法を実施の形態によって説明する。
【００２３】
図１は、本発明にかかるサイトダイバーシティ方法が適用されるデジタル衛星放送における１スーパーフレームの構成を示す模式図である。
【００２４】
公知のように、１スーパーフレームは図１（ａ）に示すように８フレームから構成され、各フレームは図１（ｂ）に例示するようにフレーム同期パターンＷ１、ＴＭＣＣ（伝送多重構成制御）情報、スーパーフレーム中の先頭フレームか否かを識別するためのフレーム識別用同期パターンＷ２またはＷ３、主信号、基準バースト信号、主信号、バースト信号、…、主信号、バースト信号から構成されている。スーパーフレーム中の先頭フレームにはフレーム識別用同期パターンＷ２が、２〜８フレームにはフレーム識別用同期パターンＷ３が使用されている。なお、図１（ｂ）では第２番目のフレームを示している。
【００２５】
主信号は変調方式トレリスコード８ＰＳＫ、ＱＰＳＫまたはＢＰＳＫであり、フレーム同期パターンＷ１、フレーム識別用同期パターンＷ２、Ｗ３、ＴＭＣＣ情報および基準バースト信号はＢＰＳＫであり、フレーム同期パターンＷ１、フレーム識別用同期パターンＷ２、Ｗ３は各３２シンボル（固定ビットの２０シンボルを含む）、ＴＭＣＣ情報は１２８シンボル、主信号は２０３シンボル、バーストは４シンボルである。また、１フレームは３９９３６シンボルで構成されている。
【００２６】
本発明の実施の一形態では、ＴＭＣＣ情報中の送受信制御情報中における拡張領域のビット４にビットが立ったときから、すなわちサイト切り換え実行指示信号を受けたときからスーパーフレームを１６回計数したときのスーパーフレーム中においてサイトの切り換えが行われるのであるが、サイトの切り換えが行われるスーパーフレーム中におけるサイトの切り換えは、予め定めたフレーム中のＴＭＣＣ情報区間内、例えば２番目のフレーム中におけるＴＭＣＣ情報区間内において行う。
【００２７】
例えば、図１（ａ）が、サイトダイバーシティの実行指示信号に基づいて切り換えが行われるスーパーフレームであるとすれば、図１（ｂ）に示す如く第２番目のフレーム中におけるＴＭＣＣ情報期間内においてサイトの切り換えを行う。さらにいえば、ＴＭＣＣ情報は１２８シンボルであり、後記するようにサイトの切り換えは１５シンボル程度の期間で行えるために、ＴＭＣＣ情報期間内の時間的な前半部分においてサイトの切り換えを行うことが好都合である。
【００２８】
次に、サイト切り換えのための構成について説明する。
【００２９】
図２は、サイト切り換えの説明図である。
【００３０】
委託事業者であるＢＳ放送局１ａ、１ｂ、１ｃからの放送情報は受託事業者に送られ、受託事業者によって主局２と副局１０の一方をアップリンク放送局としてサイトダイバーシティに基づいて選択し、選択した局から放送衛星へ送出する。
【００３１】
受託事業者は異なる位置に設けられた主局２および副局１０を備えている。
【００３２】
主局２は、ＢＳ放送局１ａ、１ｂ、１ｃからの放送情報をエンコードするＩＳＤＢ−Ｓエンコーダ３、主局３による回線確保が困難になったことを判別してＴＭＣＣ情報中の送受信制御情報中の拡張領域におけるビット２、３および４にサイトの切り換えのためのビットを立てさせるサイトダイバーシティ制御部４と、サイトダイバーシティ制御部４からの出力に基づく情報を有するＴＭＣＣ情報を含むＩＳＤＢ−Ｓのエンコード出力を予め定めた所定時間遅延させる遅延線５と、遅延線５を介して出力されたエンコード出力でキャリアを変調する変調器６と、変調器６で変調された出力を入力とし上記拡張領域において主局２をアップリンク放送局とすることが指示されているときに前記したＮ＝０となったスーパーフレーム中の予め定めたフレームにおけるＴＭＣＣ情報中の時間的前半部分の期間中においてオン状態に切り換えられるスイッチ手段７と、スイッチ手段７を介した変調出力を所定の周波数にアップするアップコンバータ８とを備えている。
【００３３】
ここで、遅延線５における遅延時間はＩＳＤＢ−Ｓエンコーダ３からのエンコード出力が副局１０に到達するまでの遅延時間に設定されている。
【００３４】
副局１０は、ＩＳＤＢ−Ｓエンコード出力中のＴＭＣＣ情報中の拡張領域の情報をチェックして副局１０がアップリンク放送局として指定されているか否かを監視するサイトダイバーシティ監視部１２と、ＩＳＤＢ−Ｓエンコード出力でキャリアを変調する変調器１２と、変調器１２で変調された出力を入力として上記拡張領域において副局１２をアップリンク放送局とすることが指示されているときに前記したＮ＝０となったスーパーフレーム中の予め定めたフレーム、例えば第２番目のフレームにおけるＴＭＣＣ情報中の時間的前半部分の期間中においてオン状態に切り換えられるスイッチ手段１３と、スイッチ手段１３を介した変調出力を所定の周波数にアップするアップコンバータ１４とを備えている。
【００３５】
したがって、委託事業者のＢＳ放送局１ａ〜１ｃからの放送情報はＩＳＤＢ−Ｓエンコーダ３にてエンコードされて送出される。このエンコード出力中にはサイトダイバーシティ制御部４によって判定された状態に基づいてＴＭＣＣ情報の拡張領域にサイトダイバーシティの実施およびアップリンク放送局の指定がなされたＴＭＣＣ情報が格納されている。
【００３６】
上記の構成において、ＩＳＤＢ−Ｓエンコーダ３からのエンコード出力は遅延線４および副局１０に送出される。遅延線４による遅延により主局２と副局１０との間の伝送遅延時間が補償される。
【００３７】
遅延線４にて遅延されたエンコード出力は変調器６にて変調されて、変調器６からの出力はスイッチ手段７に供給される。ここで、サイトダイバーシティ制御部４においてサイトダイバーシティの実行指示が成されており、かつアップリンク放送局として主局が指定されているときは（ＴＭＣＣ情報中の送受信制御情報中における拡張領域においてビット４およびビット３にビットが立てられているとき）、前記のＮ＝０になったスーパーフレーム中の第２番目のフレーム中におけるＴＭＣＣ情報区間の時間的前半部分の期間中においてスイッチ手段７がオン状態にされて、アップリンク放送局が副局１０から主局２にサイトの切り換えがなされ、アップコンバータ８によって周波数がアップされてＢＳ衛星へ送出される。
【００３８】
一方、この状態において、副局１０では、ＩＳＤＢ−Ｓエンコード出力はサイトダイバーシティ監視部１１にてＴＭＣＣ情報中の送受信制御情報中における拡張領域が監視されており、ＴＭＣＣ情報中の送受信制御情報中における拡張領域においてビット４およびビット３にビットが立てられているとき、前記のＮ＝０になったスーパーフレーム中の第２番目のフレーム中におけるＴＭＣＣ情報区間の時間的前半部分の期間中においてスイッチ手段１３がオフ状態にされて、副局１０をアップリンク放送局とすることが停止される。
【００３９】
この場合において遅延線４によって主局２と副局１０との伝送遅れは補償されている。しかし、サイトの切り換えによるＢＳ衛星の移動による主局２とＢＳ衛星との間の距離、副局１０とＢＳ衛星との間の距離の相違によるドプラー効果に基づくサイトの切り換え瞬間におけるずれ（最大偏差）は実測によると３４０ｎｓ存在し、また副局１０における地上回線等による信号処理の時間のずれ（最大偏差）が１７０ｎｓ存在する。
【００４０】
したがって、サイト切り換えのときにおける最大の偏差は５１０（＝３４０＋１７０）ｎｓ程度存在するが、１シンボル期間は約３５ｎｓ（２８．８６０ＭＨｚ）であり、この偏差は約１５シンボル分であるためＴＭＣＣ情報区間（１２８シンボル）に比較して短く、サイトの切り換えをＴＭＣＣ情報区間の前半部において行うことができる。
【００４１】
これらサイトの切り換えは、主局２から副局１０へのサイトの切り換えの場合についても同様である。
【００４２】
上記のように、主局、副局の切換を行いたい場合、アップリング局では予め定めたフレームのＴＭＣＣ情報区間内、さらにはＴＭＣＣ情報区間の前半部で切り換えを行う。このようにすることでかかるサイトダイバーシティ方法によりサイトの切り換えが行われた放送を受信する方法およびデジタル衛星放送受信機では、サイトの切り換え時にＴＭＣＣ情報区間の数シンボルで瞬断、合成が生ずるが、該ＴＭＣＣ情報区間に後続する存在するフレーム識別用同期パターンＷ２（Ｗ３）の数十シンボルで再同期が行える。このように、ＴＭＣＣ情報区間に後続してフレーム識別用同期パターンＷ２またはＷ３が存在するので、最短の時期に再同期することができる。
【００４３】
次に本発明の実施の形態にかかるデジタル衛星放送におけるサイトダイバーシティによる放送を受信する方法について説明する。本形態にかかるサイトダイバーシティ方法では、サイト切り換えが行われたＴＭＣＣ情報区間を検出し、該ＴＭＣＣ情報区間内におけるフレーム識別用同期パターンＷ２またはＷ３の何れかによって再同期を行ってサイトダイバーシティ放送の受信をする。このようにすることによって、上記のようにサイトの切り換え時にＴＭＣＣ情報区間の数シンボルで瞬断、合成が生ずるが、該ＴＭＣＣ情報区間の後に存在するフレーム識別用同期パターンＷ２（Ｗ３）の数十シンボルで再同期が行えることになる。
【００４４】
次に本発明の実施の形態にかかるサイトダイバーシティが行われる放送を受信するデジタル衛星放送受信機について説明する。
【００４５】
図３は本発明の実施の形態にかかるサイトダイバーシティが行われる放送を受信するデジタル衛星放送受信機の復調部の構成を示すブロック図である。
【００４６】
図３に示すデジタル衛星放送受信機の復調部は、図５に示した従来のデジタル衛星放送受信機においてフレーム同期検出回路３１、ＴＭＣＣデコーダ３２に代わって、フレーム同期検出回路２８、ＴＭＣＣデコーダ２９が設けられている。
【００４７】
図３に示すデジタル衛星放送受信機の復調部において、ベースバンド信号Ｉ、Ｑに数値制御発振器２４から出力される直交する再生キャリア（キャリア再生回路２５から出力される再生キャリア）が演算回路２６において乗算されて、ベースバンド信号Ｉ、Ｑが直交検波される。直交検波されたベースバンド信号はロールオフフィルタ２７に供給されて帯域制限される。
【００４８】
ロールオフフィルタ２７にて帯域制限されたベースバンド信号はキャリア再生用位相誤差テーブル２１とフレーム同期検出回路２８に供給される。また、フレーム同期検出回路２８およびＴＭＣＣデコーダ２９によりＴＭＣＣ情報中から生成された図１（ｃ）および図１（ｄ）に示す信号Ａ１、Ａ０がフレーム同期検出回路２８からキャリア再生用位相誤差テーブル２１へ送出される。
【００４９】
信号Ａ１およびＡ０受けたキャリア再生用位相誤差テーブル２１では、信号Ａ１およびＡ０の組み合わせにより主信号の変調方式が識別され、識別された変調方式に基づく位相誤差テーブルが選択され、帯域制限されたベースバンド信号の位相が検出されて、選択された位相誤差テーブルが参照されて変調方式および位相誤差に基づく位相誤差電圧がキャリア再生用位相誤差テーブル２１から出力される。
【００５０】
位相誤差電圧はデジタルフィルタ２２を介してＡＦＣ回路２３に供給されて、ＡＦＣ回路２３において位相誤差電圧が順次累積加算される。ＡＦＣ回路２３からの各加算時点の累積加算出力は数値制御発振器２４に供給されて、累積加算値に基づく周波数の正負の正弦波データおよび正負の余弦波データが出力される。ここで、累積加算時点の出力により数値制御発振器２４の発振周波数が変更されていく意味においてＡＦＣと類似であり、ＡＦＣ回路２３と記している。
【００５１】
演算回路２６において、数値制御発振器２４から出力される正の正弦波データはベースバンド信号Ｉと乗算され、負の余弦波データはベースバンド信号Ｑと乗算され、この乗算結果が加算されてベースバンド信号ｑとして出力される。また、同様に、正の余弦波データはベースバンド信号Ｉと乗算され、負の正弦波データはベースバンド信号Ｑと乗算され、この乗算結果が加算されてベースバンド信号ｉとして出力される。このように演算回路２６において直交検波される。
【００５２】
一方、フレーム同期検出回路２８では供給されたベースバンド信号からフレーム同期パターンＷ１、フレーム識別用同期パターンＷ２（Ｗ３）が検出される。検出されたＴＭＣＣ情報はＴＭＣＣデコーダ２９において一時保持され、かつデコードされる。ＴＭＣＣデコーダ２９においてＴＭＣＣ情報中の拡張領域におけるビット４によってサイトダイバーシティ実行指示がなされていることを検出したら、サイトダイバーシティ制御回路３３において前記Ｎ値がスーパフレーム検出毎にカウントダウンされてＮ＝０になるスーパーフレームになると、実行指示信号がフレーム同期検出回路２８に送出される。
【００５３】
該実行指示信号をサイトダイバーシティ制御回路３３から受けたフレーム同期検出回路２８では、Ｎ＝０となるスーパーフレームの予め定めたフレーム、例えば第２番目のフレームにおけるＴＭＣＣ情報のフレーム同期識別パターンＷ３（予め定めたフレームが第１番目のフレームのときはフレーム同期識別パターンＷ２、予め定めたフレームが第３番目以降のフレームのときはフレーム同期識別パターンＷ３）で再同期するように作用し、再同期がなされる。
【００５４】
上記のように予め定めたフレームのＴＭＣＣ情報区間においてサイトの切り換えが行われて、そのＴＭＣＣ情報区間のフレーム識別用同期パターンＷ２（Ｗ３）によって再同期がなされるため、再同期が最短の時期に取られる。また、上記の予め定めたフレームのＴＭＣＣ情報のみが遮断されるので、主信号のデータ復号には支障がない。
【００５５】
【発明の効果】
以上説明したように本発明のサイトダイバーシティ方法およびデジタル衛星放送受信機によれば、サイトダイバーシティによるアップリンク放送局の切り換えを予め定めたフレーム中のＴＭＣＣ情報区間に設定したことにより、該ＴＭＣＣ情報区間におけるフレーム識別用同期パターンＷ２またはＷ３によって同期が取られて、再同期が最短の時期に行え、かつ主信号への障害がなくなるという効果が得られる。
【００５６】
また、本発明のデジタル衛星放送の受信方法およびデジタル衛星放送受信機によれば、サイトの切り換えが行われた時点のＴＭＣＣ情報を無視することによってデジタル衛星放送受信機の例えば映像データにエラーが発生することはなく映像が乱れることもないという効果が得られる。
【図面の簡単な説明】
【図１】本発明の実施の一形態にかかるサイトダイバーシティの説明に供するスーパーフレームおよびフレームの説明図である。
【図２】本発明の実施の一形態にかかるサイト切り換えの説明に供する模式説明図である。
【図３】本発明の実施の形態にかかるサイトダイバーシティが行われる放送を受信するデジタル衛星放送受信機の復調部の構成を示すブロック図である。
【図４】サイト切り換えのためのＴＭＣＣ情報区間の運用の説明図である。
【図５】従来のデジタル衛星放送受信機の復調部の構成を示すブロック図である。
【符号の説明】
１ａ〜１ｃ  ＢＳ放送局
２  主局
３  ＩＳＤＢ−Ｓエンコーダ
４  サイトダイバーシティ制御部
５  遅延線
６および１２  変調器
７および１３  スイッチ手段
８および１４  アップコンバータ
１１  サイトダイバーシティ監視部
２１  キャリア再生用位相誤差テーブル
２２  デジタルフィルタ
２３  ＡＦＣ回路
２４  数値制御発振器
２５  キャリア再生回路
２６  演算回路
２７  ロールオフフィルタ
２８  フレーム同期検出回路
２９  ＴＭＣＣデコーダ
３３  サイトダイバーシティ制御回路
【図１】
0003987258.tif 000002
【図２】
0003987258.tif 000003
【図３】
0003987258.tif 000004
【図４】
0003987258.tif 000005
【図５】
0003987258.tif 000006